(57)【特許請求の範囲】
【請求項１】
任意の固定部位にコードを引っ掛けて固定するための枠体で構成させるコードアジャスターであって、
前記枠体の長手方向の両端部にそれぞれ設けられた第１端部及び第２端部と、
前記第１端部と前記第２端部との間に位置し、対向する一対の収納壁で前記枠体内を区切り、表面側が開放され、裏面側が底壁により閉塞され、前記底壁を貫通し、前記コードのコード端部を挿通可能としているコード収納孔を備え、前記コード端部を収納可能な収納部と、
前記第１端部の表裏面を貫通し、前記コードを挿通可能な第１コード連通孔と、
前記第１端部の裏面側に設けられ、前記第１コード連通孔に臨み、前記コードが通過可能な第１溝と、
前記第２端部の表裏面を貫通し、前記コードを挿通可能な第２コード連通孔と、
前記第２端部の裏面側に設けられ、前記第２コード連通孔に臨み、前記コードが通過可能な第２溝とを備え、
前記収納部に収納された前記コードが、
前記コード収納孔を通して裏面側に導かれ、前記固定部位まで延び、
前記固定部位を迂回して前記第１端部に設けられた前記第１溝を通過後、
前記第１コード連通孔を通して表面側に導かれ、
前記収納部の開放した表面側を覆うように通過し、
前記第２端部に設けられた前記第２コード連通孔を通して裏面側に導かれ、前記第２溝に至る構成としていることを特徴とするコードアジャスター。
【請求項２】
前記第１端部の前記第１コード連通孔と前記第１溝との間に形成され、裏面側に位置する第１エッジと、
前記第２端部の前記第２コード連通孔と前記第２溝との間に形成され、裏面側に位置する第２エッジと、
前記収納壁の先端部に形成され、表面側に位置する第３エッジとに、前記コードの前記コード端部と反対側の延長端を引っ張った際に、当該コードを接触させることを特徴とする請求項１に記載のコードアジャスター。
【請求項３】
前記コード収納孔には、
裏面側に向かって拡開した傾斜面を設けていることを特徴とする請求項１又は請求項２に記載のコードアジャスター。
【請求項４】
前記第１コード連通孔は、
前記収納部側から前記第１端部の先端部側に向かって、内径が徐々に狭まり、
前記第２コード連通孔は、
前記収納部側から前記第２端部の先端部側に向かって、内径が徐々に狭まることを特徴とする請求項１〜３のいずれか１項に記載のコードアジャスター。
【請求項５】
前記枠体の側面には、
前記第１端部から前記収納部に向かって狭まって湾曲するとともに、前記第２端部から前記収納部に向かって狭まって湾曲している把持部を備えていることを特徴とする請求項１〜４のいずれか１項に記載のコードアジャスター。
【発明の詳細な説明】
【技術分野】
【０００１】
この発明は、例えばテントなどのロープの張力を調節可能なコードアジャスターに関し、コード端部の結び目を、収納部に収納した後、その解放面をコードが通過するように構成することで、結び目が露出せず、体裁が良いものとできるようにしたものである。
【背景技術】
【０００２】
従来、テントのロープを通することが可能な２個の穴を有し、テントのジョイントにロープの一端部を結び付けて固定した後、一方の穴に通し、地面に打ち込んだベグを迂回させた後、他方の穴に通し、結び目を作って抜け止めを行うアジャスタが知られている（特許文献１の段落番号「０００３」、並びに図１及び図２参照）。
【先行技術文献】
【特許文献】
【０００３】
【特許文献１】米国特許出願公開第２００９／０２７７９８７号明細書
【発明の概要】
【発明が解決しようとする課題】
【０００４】
しかし、上記した従来のアジャスタでは、ロープの端末の結び目がアジャスタから露出していたので、見た目が悪いという問題点があった。
また、上記した従来のアジャスタでは、穴の表裏のエッジを利用してロープの張りを調節していたため、ロープにテンションが働いていないと、ロープが緩み易く、いわゆる揺さぶりに弱いといった問題点もあった。
【０００５】
さらに、上記した従来のアジャスタでは、穴の表裏の２個のエッジを利用していたので、２個のエッジに負荷が集中し、エッジとの摩擦などでロープが痛み易いといった問題点もあった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００６】
すなわち、請求項１に記載の発明は、コードの一例であるロープの結び目を、収納部に収納した後、その解放面をロープが通過するように構成することで、ロープの結び目が露出せず、体裁が良いものとできるようにしたものである。
（請求項２）
請求項２に記載の発明は、上記した請求項１に記載の発明の目的に加え、次の点を目的とする。
【０００７】
すなわち、請求項２に記載の発明は、エッジを３点に分散することで、コードの緩みを防止するとともに、コードの摩耗や破損を減少することができるようにしたものである。（請求項３）
請求項３に記載の発明は、上記した請求項１又は請求項２に記載の発明の目的に加え、次の点を目的とする。
【０００８】
すなわち、請求項３に記載の発明は、コード端部を通し易く、斜面を利用してコードの張力の調節がし易くすることができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、コードをロックし易くすることができるようにしたものである。
（請求項５）
請求項５に記載の発明は、上記した請求項１〜４のいずれか１項に記載の発明の目的に加え、次の点を目的とする。
【００１０】
すなわち、請求項５に記載の発明は、コードの張力の調節のための操作時に、把持がし易くすることができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、例えば図１に示すように、任意の固定部位(30)にコード(20)を引っ掛けて固定するための枠体で構成させるコードアジャスター(10)である。
第２に、コードアジャスター(10)は、例えば図１〜８に示すように、次の構成を備える。
（１）第１端部(40)及び第２端部(50)
第１端部(40)及び第２端部(50)は、例えば図１〜４及び図６〜８に示すように、枠体の長手方向の両端部にそれぞれ設けられたものである。
【００１３】
（２）収納部(60)
収納部(60)は、例えば図１、図２、図４及び図８に示すように、第１端部(40)と第２端部(50)との間に位置し、対向する一対の収納壁(61)で枠体内を区切り、表面側が開放され、裏面側が底壁(62)により閉塞され、底壁(62)を貫通し、コード(20)のコード端部を挿通可能としているコード収納孔(63)を備え、コード端部を収納可能なものである。
【００１４】
（３）第１コード連通孔(41)
第１コード連通孔(41)は、例えば図１〜４、図７及び図８に示すように、第１端部(40)の表裏面を貫通し、コード(20)を挿通可能なものである。
（４）第１溝(42)
第１溝(42)は、例えば図２、図３及び図７に示すように、第１端部(40)の裏面側に設けられ、第１コード連通孔(41)に臨み、コード(20)が通過可能なものである。
【００１５】
（５）第２コード連通孔(51)
第２コード連通孔(51)は、例えば図１〜４、図７及び図８に示すように、第２端部(50)の表裏面を貫通し、コード(20)を挿通可能なものである。
（６）第２溝(52)
第２溝(52)は、例えば図２、図３及び図７に示すように、第２端部(50)の裏面側に設けられ、第２コード連通孔(51)に臨み、コード(20)が通過可能なものである。
【００１６】
第３に、収納部(60)に収納されたコード(20)が、例えば図１及び図９〜１３に示すように、コード収納孔(63)を通して裏面側に導かれ、固定部位(30)まで延び、固定部位(30)を迂回して第１端部(40)に設けられた第１溝(42)を通過後、第１コード連通孔(41)を通して表面側に導かれ、収納部(60)の開放した表面側を覆うように通過し、第２端部(50)に設けられた第２コード連通孔(51)を通して裏面側に導かれ、第２溝(52)に至る構成としている。
（請求項２）
請求項２に記載の発明は、上記した請求項１に記載の発明の特徴点に加え、次の点を特徴とする。
【００１７】
第１に、コードアジャスター(10)は、例えば図１〜４、図７及び図８に示すように、次の構成を備える。
（１）第１エッジ(43)
第１エッジ(43)は、例えば図１、図２、図７及び図８に示すように、第１端部(40)の第１コード連通孔(41)と第１溝(42)との間に形成され、裏面側に位置するものである。
【００１８】
（２）第２エッジ(53)
第２エッジ(53)は、例えば図１、図２、図７及び図８に示すように、第２端部(50)の第２コード連通孔(51)と第２溝(52)との間に形成され、裏面側に位置するものである。
（３）第３エッジ(61a)
第３エッジ(61a)は、例えば図１、図２、図４及び図８に示すように、収納壁(61)の先端部に形成され、表面側に位置するものである。
【００１９】
第２に、第１エッジ(43)と、第２エッジ(53)と、第３エッジ(61a)とに、コード(20)のコード端部と反対側の延長端を引っ張った際に、例えば図１に示すように、当該コード(20)を接触させる。
（請求項３）
請求項３に記載の発明は、上記した請求項１又は請求項２に記載の発明の特徴点に加え、次の点を特徴とする。
【００２０】
すなわち、コード収納孔(63)には、例えば図８に示すように、裏面側に向かって拡開した傾斜面(63a)を設けている。
（請求項４）
請求項４に記載の発明は、上記した請求項１〜３のいずれか１項に記載の発明の特徴点に加え、次の点を特徴とする。
【００２１】
第１に、第１コード連通孔(41)は、例えば図４に示すように、収納部(60)側から第１端部(40)の先端部側に向かって、内径が徐々に狭まる。
第２に、第２コード連通孔(51)は、例えば図４に示すように、収納部(60)側から第２端部(50)の先端部側に向かって、内径が徐々に狭まる。
（請求項５）
請求項５に記載の発明は、上記した請求項１〜４のいずれか１項に記載の発明の特徴点に加え、次の点を特徴とする。
【００２２】
すなわち、枠体の側面には、例えば図２〜４及び図７に示すように、第１端部(40)から収納部(60)に向かって狭まって湾曲するとともに、第２端部(50)から収納部(60)に向かって狭まって湾曲している把持部(70)を備えている。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、コードの一例であるロープの結び目を、収納部に収納した後、その解放面をロープが通過するように構成することで、ロープの結び目が露出せず、体裁が良いものとできる。
（請求項２）
請求項２に記載の発明によれば、上記した請求項１に記載の発明の効果に加え、次のような効果を奏する。
【００２４】
すなわち、請求項２に記載の発明によれば、エッジを３点に分散することで、コードの緩みを防止するとともに、コードの摩耗や破損を減少することができる。
（請求項３）
請求項３に記載の発明によれば、上記した請求項１又は請求項２に記載の発明の効果に加え、次のような効果を奏する。
【００２５】
すなわち、請求項３に記載の発明によれば、コード端部を通し易く、斜面を利用してコードの張力の調節がし易くすることができる。
（請求項４）
請求項４に記載の発明によれば、上記した請求項１〜３のいずれか１項に記載の発明の効果に加え、次のような効果を奏する。
【００２６】
すなわち、請求項４に記載の発明によれば、コードをロックし易くすることができる。（請求項５）
請求項５に記載の発明によれば、上記した請求項１〜４のいずれか１項に記載の発明の効果に加え、次のような効果を奏する。
すなわち、請求項５に記載の発明によれば、コードの張力の調節のための操作時に、把持がし易くすることができる。
【図面の簡単な説明】
【００２７】
【図１】図１１のＢ−Ｂ線に沿う断面図である。
【図２】コードアジャスターの斜視図である。
【図３】コードアジャスターの他の斜視図である。
【図４】コードアジャスターの正面図である。
【図５】コードアジャスターの平面図である。
【図６】コードアジャスターの左側面図である。
【図７】コードアジャスターの背面図である。
【図８】図４のＡ−Ａ線に沿う断面図である。
【図９】コードを通した状態のコードアジャスターの斜視図である。
【図１０】コードを通した状態のコードアジャスターの他の斜視図である。
【図１１】コードを通した状態のコードアジャスターの正面図である。
【図１２】コードを通した状態のコードアジャスターの側面図である。
【図１３】コードを通した状態のコードアジャスターの背面図である。
【発明を実施するための形態】
【００２８】
（コードアジャスター10）
図中、10は、コードアジャスターを示し、図示しないが、例えばテントのロープ等のコード20の張力を調節可能なものである。
なお、コードアジャスター10の使用部位として、テントを例示したが、これに限定されない。また、コード20として、ロープを例示したが、これに限定されない。
【００２９】
コード20は、図示しないが、一端部をテントのジョイントに結び付けて固定する。コード20の他端部は、図１に示すように、コードアジャスター10に通した後、地面に打ち込んだベグのＤリングの固定部位30（図３参照）を通して迂回させ、コードアジャスター10に再度、通した後、結び目21を作って抜け止めを行う。
なお、固定部位30として、ベグを例示したが、これに限定されない。
【００３０】
コードアジャスター10は、図１〜８に示すように、任意の固定部位30にコード20を引っ掛けて固定するための枠体で構成される。コードアジャスター10は、剛性を有する熱可塑性合成樹脂で一体的に成形されている。
コードアジャスター10は、図４に示すように、両端部が上下に長い平面が略長円形に形成されている。また、コードアジャスター10は、図６に示すように、側面から見ると、同図において向かって左側に位置する底面側が平面に形成され、向かって右側に位置する表面側が中央が膨らん形状に形成され、全体が英大文字の略「Ｄ」形に形成されている。
具体的には、コードアジャスター10は、図１〜８に示すように、大別すると、次の各部を備える。
【００３１】
なお、次の（１）〜（４）については、後述する。
（１）第１端部40
（２）第２端部50
（３）収納部60
（４）把持部70
コードアジャスター10は、上記した（１）〜（４）の各部に限定されない。
（第１、第２端部40,50）
第１端部40及び第２端部50は、図１〜４及び図６〜８に示すように、枠体の長手方向の両端部にそれぞれ設けられたものである。第１端部40及び第２端部50は、枠体の長手方向の中央を中心に、線対称に形成され、先端部が細くなった平面が英大文字の略「Ｕ」形或いは「Ｃ」字形に形成されている。
【００３２】
第１端部40及び第２端部50には、次の各部を備える。
なお、次の（１）〜（６）については、後述する。
（１）第１コード連通孔41
（２）第２コード連通孔51
（３）第１溝42
（４）第２溝52
（５）第１エッジ43
（６）第２エッジ53
第１端部40及び第２端部50の各部は、上記した（１）〜（６）に限定されない。
（収納部60）
収納部60は、図１、図２、図４及び図８に示すように、第１端部40と第２端部50との間に位置し、対向する一対の収納壁61で枠体内を区切り、表面側が開放され、裏面側が底壁62により閉塞され、底壁62を貫通し、コード20のコード端部を挿通可能としているコード収納孔63を備え、コード端部を収納可能なものである。
【００３３】
収納部60には、図１、図２、図４及び図８に示すように、次の各部を備える。
なお、収納部60の各部は、次の（１）及び（２）に限定されない。
（１）第３エッジ61a
第３エッジ61aは、図１、図２、図４及び図８に示すように、収納壁61の先端部に形成され、表面側に位置するものである。第３エッジ61aは、コード20のコード端部と反対側の延長端を引っ張った際に、図１に示すように、当該コード20と接触する。
【００３４】
第３エッジ61aは、図８に示すように、収納壁61の先端部を断面略山形或いは断面三角形形に尖らせて形成している。
（２）傾斜面63a
傾斜面63aは、図８に示すように、コード収納孔63の内周に位置し、裏面側に向かって拡開した円錐台形形に形成されている。
（把持部70）
把持部70は、図２〜４及び図７に示すように、枠体の側面に位置し、第１端部40から収納部60に向かって狭まって湾曲するとともに、第２端部50から収納部60に向かって狭まって湾曲している。把持部70は、枠体の幅方向の中心線に対して線対称に一対形成され、枠体の長手方向の中央を、平面が英大文字の略「Ｕ」形或いは「Ｃ」字形にくびれさせて形成している。
（第１、第２コード連通孔41,51）
第１コード連通孔41は、図１〜４、図７及び図８に示すように、第１端部40の表裏面を貫通し、コード20を挿通可能なものである。
【００３５】
また、第１コード連通孔41は、図４に示すように、収納部60側から第１端部40の先端部側に向かって、内径が徐々に狭まり、平面が英大文字の略「Ｄ」形に形成されている。
第２コード連通孔51は、第１コード連通孔41と線対称の構造を有し、第２端部50の表裏面を貫通し、コード20を挿通可能なものである。
また、第２コード連通孔51は、図４に示すように、第１コード連通孔41と同様に、収納部60側から第２端部50の先端部側に向かって、内径が徐々に狭まり、平面が英大文字の略「Ｄ」形に形成されている。
（第１、第２溝42,52）
第１溝42は、図２、図３及び図７に示すように、第１端部40の裏面側に設けられ、第１コード連通孔41に臨み、コード20が通過可能なものである。
【００３６】
第１溝42は、図５に示すように、裏面側から表面側に向かって凹んだ凹状に形成している。
第２溝52は、第１溝42と線対称の構造を有し、第２端部50の裏面側に設けられ、第２コード連通孔51に臨み、コード20が通過可能なものである。
（第１、第２エッジ43,53）
第１エッジ43は、図１、図２、図７及び図８に示すように、第１端部40の第１コード連通孔41と第１溝42との間に形成され、裏面側に位置するものである。第１エッジ43は、コード20のコード端部と反対側の延長端を引っ張った際に、図１に示すように、当該コード20と接触する。
【００３７】
第１エッジ43は、図８に示すように、断面が直角或いは鋭角的に形成されている。
第２エッジ53は、第１エッジ43と線対称の構造を有し、第２端部50の第２コード連通孔51と第２溝52との間に形成され、裏面側に位置するものである。第２エッジ53は、第１エッジ43と同様に、コード20のコード端部と反対側の延長端を引っ張った際に、図１に示すように、当該コード20と接触する。
（使用方法）
上記した構成を有するコードアジャスター10の使用方法について、図１及び図９〜１３を用いて説明する。
【００３８】
まず、図１に示すように、コード20のコード端部を、収納部60のコード収納孔63に裏面側から表面側に向かって通し、その先端部に結び目21を作って、コード収納孔63からの抜けを防止する。コード20は、その結び目21を収納部60に収納した状態で、コード収納孔63を通して裏面側に導き、固定部位30まで延ばす。
つぎに、コード20は、固定部位30を迂回して第１端部40に設けられた第１溝42を通過後、第１コード連通孔41を通して表面側に導く。
【００３９】
その後、コード20は、収納部60の開放した表面側を覆うように通過させ、第２端部50に設けられた第２コード連通孔51を通して裏面側に導き、第２溝52を通過させる。
第２溝52を通過したコード20の他方のコード端部は、図示しないが、テントのジョイントに結び付けて固定する。
コード20のコード端部と反対側の延長端を引っ張った際、すなわちテントが固定部位30から離隔する方向に負荷が作用した場合には、図１に示すように、第１エッジ43と、第２エッジ53と、第３エッジ61aとの３点にコード20が接触することで、当該負荷を分散させることができる。なお、第３エッジ61aを２点と考えれば、計４にコード20が接触する。
【００４０】
その結果、コード20の緩み、摩耗や破損を減少することができる。
一方、コード20の張力を調節する際には、固定部位30を迂回させてループさせたコード20のループの量を増減させれば良い。
すなわち、張力を増加させるには、コード20のループの量を増加させれば良く、このときコードアジャスター10は固定部位30から離隔する方向にスライドする。
【００４１】
これに対し、張力を減少させるには、コード20のループの量を減少させれば良く、このときコードアジャスター10は固定部位30に接近する方向にスライドする。
【符号の説明】
【００４２】
10  コードアジャスター
20  コード          21  結び目
30  固定部位
40  第１端部        41  第１コード連通孔
42  第１溝          43  第１エッジ
50  第２端部        51  第２コード連通孔
52  第２溝          53  第２エッジ
60  収納部
61  収納壁          61a 第３エッジ
62  底壁
63  コード収納孔      63a 傾斜面
70  把持部
【図１】
0005844180.tif 000002
【図２】
0005844180.tif 000003
【図３】
0005844180.tif 000004
【図４】
0005844180.tif 000005
【図５】
0005844180.tif 000006
【図６】
0005844180.tif 000007
【図７】
0005844180.tif 000008
【図８】
0005844180.tif 000009
【図９】
0005844180.tif 000010
【図１０】
0005844180.tif 000011
【図１１】
0005844180.tif 000012
【図１２】
0005844180.tif 000013
【図１３】
0005844180.tif 000014